(57)【特許請求の範囲】
【請求項１】
カメラ本体の一端面に支軸を突設し、該支軸に、支軸回りに所定角度開閉可能で、且つ支軸の前方へ突出可能な一対の脚片を設け、両脚片を支軸回りに所定角度開いた際には、前記脚片がカメラスタンドとしてカメラ本体を撮影が可能な状態に保持し、該脚片を前記支軸の前方へ突出させた際には、両脚片がストラップを着脱可能に連結するためのストラップ連結用フックとなるカメラ。
【発明の詳細な説明】
【０００１】
【発明の属する技術分野】
本発明は、１つの機能部品に他機能を併せ持たせたカメラに関し、より具体的には、カメラのスタンドにストラップ連結用フックの機能を併せ持たせたカメラに関する。
【０００２】
【従来の技術】
レンズシャッタ式などの操作が簡単なコンパクトカメラにあっては、近年、バッグ類やポケットなどへの収納と、ストラップからの吊り下げによる携行の利便性から、カメラ本体の凹凸を極力なくしたフラットな形状のタイプが好まれている。一方、カメラメーカからは、レンズカバーに剛性のスライド部材を用いて、撮影レンズを開閉可能に覆ったレンズカバー付きや、カメラ本体の底面に折り畳み可能な簡易三脚を備えたもの、或いはカメラ本体の前面右側部に撮影用のグリップ部を突設したものなど、様々な機能を持たせたカメラが提案されている。
【０００３】
【発明が解決しようとする課題】
しかしながら、上述のレンズカバーや簡易三脚，グリップ部のほか、従来からカメラ本体に取付けられてきたストラップ用の連結環は、いずれも単一の機能しかなく、またこのような機能をカメラに複数設定した場合には、コスト高となるばかりか、全体の大型化と重量増加は避けられない。特に、グリップ部や簡易三脚は、カメラ本体の一部に大きく膨出するため、携行や収納の利便性を損うこととなる。
【０００４】
そこで本発明は、カメラ本体の凹凸を極力なくして、携行時や収納或いは保管などの際の利便性を図りつつ、１つの機能部品に他機能を併せ持たせて、全体をコンパクトで軽量に形成することのできるカメラを提供することを目的としている。
【０００５】
【課題を解決するための手段】
上述の目的を達成するため、本発明のカメラは、カメラ本体の一端面に支軸を突設し、該支軸に、支軸回りに所定角度開閉可能で、且つ支軸の前方へ突出可能な一対の脚片を設け、両脚片を支軸回りに所定角度開いた際には、前記脚片がカメラスタンドとしてカメラ本体を撮影が可能な状態に保持し、該脚片を前記支軸の前方へ突出させた際には、両脚片がストラップを着脱可能に連結するためのストラップ連結用フックとしている。
【０００７】
【発明の実施の形態】
以下、本発明の形態例を、図面に基づいて説明する。
図中、図１乃至図１０は第１形態例を示し、図１はカメラスタンドを用いてカメラを据え置いた状態の斜視図、図２は図１の左側面図、図３はカメラスタンドと支軸の連結状態を示す断面図、図４はストラップからカメラを吊り下げた状態の正面図、図５はカメラスタンドとカメラ連結部材との連結状態を示す一部断面正面図、図６はカメラ連結部材の底面図、図７は同じくカメラ連結部材の要部拡大断面図、図８はレンズカバーの開閉を案内するガイド手段の斜視図、図９及び図１０はそれぞれガイド手段の背面図である。
【０００８】
また、図１１乃至図１６は第２形態例を示し、図１１はカメラスタンドを用いてカメラを据え置いた状態の斜視図、図１２は図１１の左側面図、図１３はストラップからカメラを吊り下げた状態の正面図、図１４はカメラスタンドとカメラ連結部材との連結状態を示す一部断面正面図、図１５は図１４のＸＶ−ＸＶ断面図、図１６はカメラスタンドとカメラ連結部材との切り離し状態を示す一部断面正面図である。
【０００９】
図１乃至図１０に示す第１形態例のカメラ１は、横長方形のカメラ本体２の前面略中央の鏡胴３に撮影レンズ４が設けられ、該撮影レンズ４の上部に、ファインダ窓５及び測距窓６，６と、閃光器７，測光部８及びリモコン受光部９とが設けられており、カメラ本体２の上面右側には、シャッタレリーズボタン１０が設けられている。カメラ本体２の上下面全体と前後面の一部は、ゴムや軟質合成樹脂等からなる可撓性材料１１によって被覆されており、該可撓性材料１１にてカメラ本体２を外力から保護すると共に、撮影時にはカメラ本体２を把持した撮影者の指が滑ることがないようにしている。
【００１０】
カメラ本体２の前面には、上記可撓性材料１１に連続する可撓性の帯板１１ａが横長に延設され、該帯板１１ａと後述する剛性の第１スライド板３０とで、手動式のレンズカバー１２が構成されると共に、カメラ本体２の右端面に突出する支軸１３には、一対の脚片１４，１５からなるカメラスタンド１６が枢支されている。前記鏡胴３は、第１スライド板３０の開閉作動に連動して、カメラ本体２の前面を出没する沈胴式で、レンズカバー１２の第１スライド板３０をカメラ本体２の右側部へスライドした際には、カメラ本体２の前方へ突出して撮影を待機し、また撮影レンズ４が、レンズカバー１２の第１スライド板３０に覆われる非撮影時には、カメラ本体２の前面に組み込まれたプレート３３と面一に収容されるようになっている。
【００１１】
上記レンズカバー１２の帯板１１ａは、基端側がカメラ本体２の前面右側部のコーナ部を覆う可撓性材料１１に連続し、先端側が撮影レンズ４の前面に位置した第１スライド板３０の全体を覆う長さで形成されており、その内側には第１スライド板３０のスライドと帯板１１ａの伸縮を案内するガイド手段１７が設けられている。非撮影時のレンズカバー１２は、可撓性の帯板１１ａがたるみなく伸長して、第１スライド板３０が従来の剛性スライド部材と同様に撮影レンズ４を覆い、また撮影時には、第１スライド板３０がカメラ本体２の右側部へスライドして、可撓性材料１１につながる帯板１１ａの基端側が、カメラ本体２の前方へ蛇腹状に折り畳まれながら膨出するようになっており、本形態例ではこの蛇腹状の膨出部分を撮影時のグリップ部１８となしている。
【００１２】
前記支軸１３は、カメラ本体２に回転可能に保持される断面ハット型の第１軸１９と、該第１軸１９内に相対回転可能に収容される筒状の第２軸２０と、該第２軸２０内で、脚片１４，１５の基端１４ａ，１５ａを連結して、両脚片１４，１５を開閉可能に枢支する小径の第３軸２１とからなっている。第１軸１９〜第３軸２１は、カメラ本体２の右側面中央に同心状に配設されており、カメラ本体２の上・下面は、これらの軸１９〜２１を中心とする円弧面で形成されている。第１軸１９には、脚片１４の開き角度を規制するための長円形のガイド孔１９ａと、円形の軸孔１９ｂとが設けられ、第２軸２０には、第１軸１９のガイド孔１９ａの内側位置に円形の軸孔２０ａが、また第１軸１９の軸孔１９ｂの内側位置に、脚片１４の開き角度を規制するため、第１軸１９のガイド孔１９ａと同一の回動角度に対応した長さを持った長円形のガイド孔２０ｂが、それぞれ設けられている。
【００１３】
前記カメラスタンド１６は、カメラ吊り下げ用のストラップ接続用フックを兼ねていて、カメラスタンド１６に別途のストラップ２２を接続して、該ストラップ２２からカメラ１を吊り下げできるようにしている。このカメラスタンド１６は、支軸１３回りに所定角度開閉可能で、且つ支軸１３の前方へ突出可能な一対の脚片１４，１５からなっており、脚片１４，１５には、互いに内側へ折れ曲がる直線状の基端１４ａ，１５ａと、該基端１４ａ，１５ａに連続して円弧状に脹らむ湾曲部１４ｂ，１５ｂとが連設されており、また脚片１４，１５の先端側外面には、スリット１４ｃ，１５ｃがそれぞれ２条づつ形成されている。
【００１４】
上記脚片１４，１５は、一方の基端１４ａを、第１，２軸１９，２０のガイド孔１９ａと軸孔２０ａとに差し込み、他方の基端１５ａを、第１，２軸１９，２０のガイド孔１９ａと軸孔２０ａとに差し込んで、第２軸２０内に重合して突出する基端１４ａ，１５ａの端部同士を、上述の第３軸２１で回動可能に連結される。第３軸２１にて連結された基端１４ａ，１５ａの端部間には、つる巻きばね２３が介装され、双方の脚片１４，１５をつる巻きばね２３のトーション力によって、常時開脚方向へ付勢している。
【００１５】
このようにして取付けされた脚片１４，１５は、双方の湾曲部１４ｂ，１５ｂが第１軸１９の突出部分を包持しながら、図１及び図２に示すカメラ本体２の右端面と平行に位置した際に、一方の脚片１４が、第３軸２１を支点に、第１軸１９のガイド孔１９ａの長さ範囲を第２軸２０と一体に回動可能となり、また他方の脚片１５が、同じく第３軸２１を支点に、第２軸２０のガイド孔２０ｂの長さ範囲を第１軸１９と一体に回動可能となる。脚片１４，１５はこの状態において、つる巻きばね２３のトーション力によって、支軸１３回りにカメラ本体２の右端面と平行に開脚し、カメラスタンド１６として、カメラ本体２を支軸１３回りに回転可能に支持すると共に、該カメラ本体２を、図２の２つの想像線で示す範囲の撮影或いはディスプレイ状態に保持できるようにしている。
【００１６】
また、脚片１４，１５をつる巻きばね２３のトーション力に抗して閉じ合わせ、基端１４ａ，１５ａを同一線上に合致した場合に、双方の脚片１４，１５は、第１，２軸１９，２０の軸孔１９ｂ，２０ａを支点に回動が可能で、両脚片１４，１５を揃えて図３の如く支軸１３の前方へ突出させると、両脚片１４，１５が、ストラップ連結用フックとして機能するようになっている。
【００１７】
前記ストラップ２２には、一端にカメラ連結部材２４が取付けられ、中間部に長さ調整部材２５が介装されている。カメラ連結部材２４は断面楕円形に形成され、カメラ連結部材２４の先端面を覆うリップ状のブーツ２６の中央に、ガイド孔２６ａが開設されている。ガイド孔２６ａは、カメラ連結部材２４の長軸方向と短軸方向の２つの長孔をクロスさせた十字状に形成されており、ブーツ２６に覆われるカメラ連結部材２４の内部先端側には、ガイド孔２６ａの内側位置に、４枚の係止板２７，２７，２８，２８が内外に対向して設けられ、更に内側の係止板２７，２７の内方にストッパ２９が固設されている。
【００１８】
同一面で向き合う２枚の係止板２７，２７，２８，２８の間には、それぞれ間隙Ｃ１が設定され、また内外の係止板２７，２８の間には間隙Ｃ２が設定されており、更に内側の係止板２７とストッパ２９との間に間隙Ｃ３が設定されている。このうち、間隙Ｃ１は、カメラスタンド１６の脚片１４，１５を揃えた時のスリット１４ｃ，１５ｃの底壁の間隔と同一に設定され、また間隙Ｃ２は、各スリット１４ｃ，１４ｃ，１５ｃ，１５ｃの間隔と同一に設定されており、更に間隙Ｃ３は、脚片１４，１５の先端から先端側のスリット１４ｃ，１５ｃまでの長さと同一に設定されている。
【００１９】
ストラップ２２のカメラ連結部材２４は、上記のように構成されており、カメラスタンド１６をストラップ連結用フックとして用いる場合には、支軸１３の前方へ揃って突出する脚片１４，１５を、ガイド孔２６ａのカメラ連結部材短軸方向の長孔に差し込み（図７の想像線）、脚片１４，１５の先端をストッパ２９に当接させる。脚片１４，１５のスリット１４ｃ，１５ｃは、この状態において、カメラ連結部材２４の係止板２７，２７，２８，２８と同一面上に位置する。
【００２０】
次に、脚片１４，１５をいずれか一方向へ９０度回動すると、脚片１４，１５がガイド孔２６ａのカメラ連結部材長軸方向の長孔に合致し、各係止板２７，２８とスリット１４ｃ，１５ｃとが係合して脚片１４，１５が抜け止めされ、ストラップ２２によるカメラ１の吊り下げが可能となる（図４）。脚片１４，１５とカメラ連結部材２４との連結状態では、係止板２７，２８とスリット１４ｃ，１５ｃとの係合と相俟って、脚片１４，１５を、ガイド孔２６ａのカメラ連結部材長軸方向の長孔が弾性的に保持するので、脚片１４，１５が妄りに回動することがない。
【００２１】
前記長さ調整部材２５には、ループ状に連結された２条のストラップ２２が挿通され、内部中央に突設された係止ピン２５ａに、カメラ連結部材２４に巻き掛けして戻されたストラップ２２の一端が係止されており、ストラップ２２は、この長さ調整部材２５を、カメラ連結部材２４方向へ移動することによって伸長し、同じく長さ調整部材２５を、カメラ連結部材２４と反対方向へ移動することによって短縮調整されるようになっている。
【００２２】
前記ガイド手段１７は、帯板１１ａの裏面に貼着される前述の第１スライド板３０及び第２スライド板３１と、両スライド板３０，３１の横スライドを案内するスライドガイド孔３３ａ，３３ａと、両スライド板３０，３１を連動させて、レンズカバー１２の帯板１１ａに前記グリップ部１８を蛇腹状に形成または消失させるためのリンク機構３２とを持っている。
【００２３】
カメラ本体２の前面には、横長のプレート３３が面一に組込まれており、該プレート３３の両端に、前記鏡胴３を収容する円孔３３ｂと上記リンク機構３２のスライドピン４１のスライドを案内する縦溝３３ｃとが形成され、これらの間にリンク機構３２の連結ピン３８，３９及びスライドピン４２，４３が貫通する４条のガイド孔３３ｄが形成されると共に、プレート３３の上下には、上述のスライドガイド孔３３ａ，３３ａが横方向に形成されている。
【００２４】
第１スライド板３０は、少なくとも撮影レンズ４の前面を覆う大きさの幅広に、また第２スライド板３１は、縦長の帯片によって形成されており、第１スライド板３０の前面には帯板１１ａの先端側が貼着され、また第２スライド板３１の前面には、同じく帯板１１ａの中間部分が貼着されている。第１，第２スライド板３０，３１の後面上下には、Ｌ字状の係止片３０ａ，３０ａ，３１ａ，３１ａが突設され、第１スライド板３０の後面一側部と第２スライド板３１の後面中央には、縦溝３０ｂ，３１ｂが凹設されており、第１，第２スライド板３０，３１は、上下の係止片３０ａ，３０ａ，３１ａ，３１ａをスライドガイド孔３３ａ，３３ａに係着して、プレート３３の前面に横スライド可能に取付けられる。
【００２５】
リンク機構３２は、プレート３３の前後面に、４枚のリンク３４，３５，３６，３７を拡縮自在な菱井桁状に組付けしたパンタグラフ式で、プレート３３の前面にはリンク３４，３５が一方向へ平行に傾いて、またプレート３３の後面にはリンク３６，３７が他方向へ平行に傾いてそれぞれ配設されている。プレート３３を挟んでクロスする円孔３３ｂ寄りのリンク３４，３６は、前記ガイド孔３３ｄを貫通する連結ピン３８にて枢支され、またプレート３３を挟んでクロスする縦溝３３ｃ寄りのリンク３５，３７は、同じくガイド孔３３ｄを貫通するスライドピン３９にて枢支されている。
【００２６】
連結ピン３８，３９は、リンク３４〜３７の中心位置から第２スライド板３１寄りに偏位して取付けられており、リンク機構３２が後述する支持ピン４４を支点に伸縮した際に、第１スライド板３０が第２スライド板３１の凡そ２倍のリードでスライドし、また第２スライド板３１が、常時支持ピン４４と第１スライド板３０の中間点に位置するように設定されている。
【００２７】
第１スライド板３０とプレート３３の縦溝３０ｂ，３３ｃには、スライドピン４０，４１が遊挿され、また第２スライド板３１の縦溝３１ｂには、２つのスライドピン４２，４３が遊挿されており、第１スライド板３０のスライドピン４０にはリンク３４の一端が、プレート３３のスライドピン４１には、リンク３７の一端がそれぞれ枢支されている。第２スライド板３１のスライドピン４２，４３は、プレート３３のガイド孔３３ｄから前後面へ突出する長さを持っており、上側のスライドピン４２には、リンク３４，３７の他端同士が枢支され、下側のスライドピン４３には、リンク３５，３６の一端同士が枢支されている。またリンク３５の他端は、上側のスライドガイド孔３３ａの他端側に回動可能に固定された支持ピン４４に枢支され、リンク３６の他端は、第１スライド板３０から上側のスライドガイド孔３３ａに突設されたスライドピン４５に枢支されている。
【００２８】
このように構成されるガイド手段１７は、リンク機構３２が、支持ピン４４を支点に図９に示す伸長状態から図１０の折り畳み状態に変形し、第１スライド板３０を、第２スライド板３１の凡そ２倍のリードでスライドさせ、更に第２スライド板３１を、常時支持ピン４４と第１スライド板３０の中間点に位置させて、帯板１１ａの伸縮を案内する。また、第１スライド板３０をカメラ本体２の右側部へスライドして行くと、第２スライド板３１及び第１スライド板３０との間隔と、第２スライド板３１及び帯板１１ａの基端との間隔が徐々に狭められるため、帯板１１ａの第２スライド板３１を挟んだ両側の可撓性部分がカメラ本体２の前方へ押し出されて行き、レンズカバー１２を全開した撮影待機状態では、図１に示す如き蛇腹状のグリップ１８が突出形成される。
【００２９】
図１１乃至図１６に示す第２形態例のカメラ５０は、カメラ本体５１の前面にレンズカバー５２が、またカメラ本体５１の右端面に突出する支軸５３に、一対の脚片５４，５５からなるカメラスタンド５６がそれぞれ設けられている。
【００３０】
カメラ本体５１は、前後面が女性のトルソー（手，足，首のない胴体だけの人台）を、また上下面が、古代エジプトの甲虫であるスカラベ（こがね虫やふんころがしの類）を模してデザインされており、更にカメラスタンド５６の脚片５４，５５は女性の脚を模してデザインされている。カメラ本体５１の上下面全体と、前後面の一部は、ゴムや軟質合成樹脂からなる可撓性材料５７によって被覆されており、該可撓性材料５７からカメラ本体５１の前面横方向に延設された可撓性の帯板５７ａと、撮影レンズ４を開閉可能に覆う第１形態例と同様の第１スライド板（図示しない）とで、上述のレンズカバー５２が構成される。
【００３１】
カメラ本体５１の前面上下には、それぞれ複数のピアス玉が横方向に埋設されており、上側のピアス玉を利用して、ファインダ窓５８及び測距窓５９，５９と、閃光器６０測光部６１及びリモコン受光部６２とが設けられ、またカメラ本体５１の上面右側に、シャッタレリーズボタン６３が設けられている。レンズカバー５２の内側には、第１形態例と同様の図示しないガイド手段が設けられており、非撮影時には、帯板５７ａが平板状に伸長して第１スライド板が撮影レンズ４を覆い、また第１スライド板をカメラ本体５１の右側部へスライドした撮影待機状態には、帯板５７ａの基端側が蛇腹状に突出してグリップ部６４が形成されるようになっている。
【００３２】
支軸５３の内部は、第１形態例と同様に構成され、カメラ本体５１の上下面はこの支軸５３を中心とする円弧状に形成されていて、脚片５４，５５を、支軸５３回りにカメラ本体５１の右端面と平行に所定角度開脚した場合は、カメラスタンド５６として、カメラ本体５１を支軸５３回りに回転可能に支持すると共に、該カメラ本体５１を、図１１及び図１２のように、撮影或いはディスプレイ状態に保持し、また脚片５４，５５を閉じ合わせして、支軸５３の前方へ突出させた場合には、ストラップ連結用フックとして、図１３の如くストラップ６５のカメラ連結部材６６と連結されるようになっている。
【００３３】
カメラ連結部材６６の先端面には、周囲をブーツ６７に囲繞される差し込み口６６ａが形成されており、該差し込み口６６ａの内側には、カメラスタンド５６の脚片５４，５５の足部５４ａ，５５ａを支承するストッパ手段６８と、同じく足部５４ａ，５５ａの先端を抜け止めする抜け止め手段６９とが対向して設けられている。
【００３４】
ストッパ手段６８は、Ｍ字形のストッパ片７０にガイドバー７１を連結して、ストッパ片７０を、ガイドバー７１とガイド溝７２にて脚片５４，５５の抜き差し方向へスライド可能に支持すると共に、ガイドバー７１にリターンスプリング７３を連結して、ストッパ片７０を差し込み口６６ａ側に付勢した構成となっている。また抜け止め手段６９は、差し込み口６６ａの内側位置に離間して並設される一対のガイドパイプ７４，７４と、該ガイドパイプ７４，７４の両端を挟んで差し込み口６６ａの内部両側に配設される一対のスライド板７５，７５と、双方のスライド板７５，７５を外側の後退限位置に付勢する図示しない戻し手段とを持っている。
【００３５】
上記ガイドパイプ７４，７４の対向面中央には、抜け止め片７４ａ，７４ａが突設され、また各ガイドパイプ７４の両端には、それぞれ螺旋状のガイド孔７４ｂ，７４ｂが穿設されており、各ガイド孔７４ｂにスライド板７５，７５の内端に突設した係合ピン７６が遊挿されている。４つのガイド孔７４ｂは、各ガイドパイプ７４の両端の２つが対称関係に、また隣り合う２つが同じく対称関係となるように螺旋方向が設定されており、スライド板７５，７５を内外方向へスライドさせることによって、係合ピン７６が双方のガイドパイプ７４，７４を互いに逆方向へ回動させると共に、図１４，１５に示す非作動時には、スライド板７５，７５が戻し手段の付勢力によって外側の後退限に位置し、ガイドパイプ７４，７４の抜け止め片７４ａ，７４ａが内向きに対向するように設定されている。
【００３６】
ストラップ６５のカメラ連結部材６６は、上記のように構成されており、カメラスタンド５６をストラップ連結用フックとして用いる場合には、脚片５４，５５の足部５４ａ，５５ａを揃えて支軸５３の前方へ突出させ、該足部５４ａ，５５ａをカメラ連結部材６６の差し込み口６６ａへ差し込む。足部５４ａ，５５ａは、差し込み口６６ａの内側を対向して塞ぐ抜け止め片７４ａ，７４ａと当接し、該抜け止め片７４ａ，７４ａをカメラ連結部材６６の内方向へ回動しながら進入して行く。
【００３７】
そして、足部５４ａ，５５ａのつま先を、ストッパ手段６８のストッパ片７０まで差し込み、更に足部５４ａ，５５ａのつま先でストッパ片７０を一旦押し込むと、足部５４ａ，５５ａと抜け止め片７４ａ，７４ａとの係合が外れ、該抜け止め片７４ａ，７４ａがカメラ連結部材６６の外方向へ回動して元の対向位置に復帰し、抜け止め片７４ａ，７４ａが足部５４ａ，５５ａの踵と係合して足部５４ａ，５５ａが抜け止めされ（図１４，図１５）、ストラップ６５によるカメラ５０の吊り下げが可能となる（図１３）。
【００３８】
また、カメラ５０とストラップ６５とを切り離しする場合には、脚片５４，５５をカメラ連結部材６６の内部へ一旦押し込み、足部５４ａ，５５ａでストッパ片７０を内方へスライドして、足部５４ａ，５５ａの踵と抜け止め片７４ａ，７４ａとの間に抜け止め片７４ａ，７４ａの回動スペースを設定する。次に、ブーツ６７の両側を指で摘んでスライド板７５，７５を内側へ押動すると、ガイドパイプ７４，７４が係合ピン７６とガイド孔７４ｂとの係合によって互い逆方向へ回動し、同時に抜け止め片７４ａ，７４ａがカメラ連結部材６６の内方向へ回動して、双方の抜け止め片７４ａ，７４ａが足部５４ａ，５５ａの厚さよりも広い間隔で外側に拡がり（図１６）、この状態から脚片５４，５５を牽引することにより、先端の足部５４ａ，５５ａがカメラ連結部材６６から引き抜かれる。
【００３９】
尚、第１，第２形態例で示したカメラは、カメラ本体をカメラスタンドによって、撮影やディスプレイ状態に据え置きした場合には、カメラ連結部材が脚片から切り離されて不要となるので、これらのカメラ連結部材にリモコンの発光部を組込んでおくと、専用のリモコンを不要にできるのでコストダウンが図れ、またストラップの紛失の虞も少なくなるので好適である。
【００４０】
また、本発明の可撓性の帯板は、少なくとも第１ガイド板とカメラ本体の一側部との間にあればよい。従って、第１，第２形態例のように、必ずしも第１ガイド板を覆う必要はなく、帯板の基端側をカメラ本体の一側部に直接固定することもできる。更に、第１，第２形態例では、グリップ部を、ガイド手段によって可撓性の帯板から蛇腹状に膨出するようにしたが、グリップ部は蛇腹状以外の形状であってもよい。グリップ部を一山に突出形成した場合には、リンク機構を用いた形態例のガイド手段は不要となる。
【００４１】
【発明の効果】
本発明のカメラは、以上説明したように、カメラ本体の支軸に、カメラスタンドとストラップ連結用フックの機能を併せ持つ一対の脚片を設けたことにより、カメラスタンドを使用しない携行時には、脚片をストラップの連結用フックとして使用できるので、カメラ本体にカメラスタンドを収納するスペースを設ける必要がなく、またストラップを使用しない撮影時やディスプレイには、脚片をカメラスタンドとして使用できるので、カメラに単一機能しか持たない専用の簡易三脚とストラップ用の連結環の双方を設ける必要がなく、部品点数を削減して、軽量でコンパクトなカメラを安価に提供することができるようになる。更に本発明は、脚片がカメラ一体型の簡易三脚のように邪魔になることは少ないから、携行や収納或いは保管などの利便性にも優れている。
【図面の簡単な説明】
【図１】本発明の第１形態例を示すカメラスタンドを用いてカメラを据え置いた状態の斜視図
【図２】本発明の第１形態例を示す図１の左側面図
【図３】本発明の第１形態例を示すカメラスタンドと支軸の連結状態を示す断面図
【図４】本発明の第１形態例を示すストラップからカメラを吊り下げた状態の正面図
【図５】本発明の第１形態例を示すカメラスタンドとカメラ連結部材との連結状態の一部断面正面図
【図６】本発明の第１形態例を示すカメラ連結部材の底面図
【図７】本発明の第１形態例を示すカメラ連結部材の要部拡大断面図
【図８】本発明の第１形態例を示すガイド手段の斜視図
【図９】本発明の第１形態例を示すガイド手段の背面図
【図１０】本発明の第１形態例を示すガイド手段の背面図
【図１１】本発明の第２形態例を示すカメラスタンドを用いてカメラを据え置いた状態の斜視図
【図１２】本発明の第２形態例を示す図１１の左側面図
【図１３】本発明の第２形態例を示すストラップからカメラを吊り下げた状態の正面図
【図１４】本発明の第２形態例を示すカメラスタンドとカメラ連結部材との連結状態の一部断面正面図
【図１５】本発明の第２形態例を示す図１４のＸＶ−ＸＶ断面図
【図１６】本発明の第２形態例を示すカメラスタンドとカメラ連結部材との切り離し状態の一部断面正面図
【符号の説明】
１…カメラ
２…カメラ本体
３…鏡胴
４…撮影レンズ
１１…ゴムや軟質合成樹脂からなる可撓性材料
１１ａ…可撓性材料１１から延長した可撓性の帯板
１２…可撓性の帯板１１ａと剛性の第１スライド板３０とからなるレンズカバー
１３…支軸
１４，１５…脚片
１６…脚片１４，１５からなるストラップ連結用フック兼用のカメラスタンド１７…ガイド手段
１８…蛇腹状のグリップ部
１９…第１軸
２０…第２軸
２１…第３軸
２２…ストラップ
２３…つる巻きばね
２４…カメラ連結部材
２５…長さ調整部材
２６…ブーツ
２７，２８…係止板
２９…ストッパ
３０…第１スライド板（本発明のスライド部材）
３１…第２スライド板
３２…リンク機構
３３…プレート
５０…カメラ
５１…カメラ本体
５２…レンズカバー
５３…支軸
５４，５５…脚片
５４ａ，５５ａ…脚片５４，５５の足部
５６…脚片５４，５５からなるカメラスタンド
５７…可撓性部材
５７ａ…可撓性材料５７から延長した可撓性の帯板
６４…蛇腹状のグリップ部
６５…ストラップ
６６…カメラ連結部材
６６ａ…差し込み口
６７…ブーツ
６８…ストッパ手段
６９…抜け止め手段
７０…ストッパ片
７４…ガイドパイプ
７４ａ…抜け止め片
７４ｂ…ガイド孔
７５…スライド板
７６…係合ピン
【図１】
0003595917.tif 000002
【図２】
0003595917.tif 000003
【図３】
0003595917.tif 000004
【図４】
0003595917.tif 000005
【図５】
0003595917.tif 000006
【図６】
0003595917.tif 000007
【図７】
0003595917.tif 000008
【図８】
0003595917.tif 000009
【図９】
0003595917.tif 000010
【図１０】
0003595917.tif 000011
【図１１】
0003595917.tif 000012
【図１２】
0003595917.tif 000013
【図１３】
0003595917.tif 000014
【図１４】
0003595917.tif 000015
【図１５】
0003595917.tif 000016
【図１６】
0003595917.tif 000017